(57)【要約】【課題】国民体育大会など大規模イベントにおける団体輸送車両運行計画を容易に作成することができる支援装置を提供する。【解決手段】コンピュータ本体１１の大容量記憶部１６には、団体輸送車両運行計画作成支援用アプリケーションプログラムがインストールされている。支援用アプリを実行することにより、コンピュータ本体１１の処理部１５は、大容量記憶部１６の基本情報データベース領域１６ｂに登録されている情報に基づいて輸送車両の運行計画表を作成する。表示装置１３には、輸送車両運行計画を作成するための基本情報を基本情報データベース領域１６ｂに登録したり、運行計画表や輸送車両集計結果等の出力を指示したりするためのＧＵＩ画面が表示される。【選択図】  図１
2004303003.tif 000002
【特許請求の範囲】
【請求項１】
複数の輸送対象団体をイベントの開催地域内に送迎しまたは当該イベントの開催地域内において輸送する輸送車両の運行計画を作成するための装置であって、
基本情報記憶手段と、
前記輸送車両運行計画を作成するための基本情報を前記基本情報記憶手段に登録するための基本情報登録手段と、
前記基本情報記憶手段に登録されている情報に基づいて輸送車両の運行計画表を作成する運行計画表作成手段と、
前記運行計画表作成手段により作成された運行計画表を出力する運行計画表出力手段と、
を備えた団体輸送車両運行計画作成支援装置。
【請求項２】
前記基本情報記憶手段に登録されている情報に基づいて輸送車両の必要台数を集計する輸送車両台数集計手段と、
前記輸送車両台数集計手段による集計結果を出力する輸送車両台数出力手段と、
をさらに備えた請求項１記載の団体輸送車両運行計画作成支援装置。
【請求項３】
前記基本情報登録手段は、
前記基本情報記憶手段に乗降場所情報を登録するための乗降場所情報入力手段と、
前記基本情報記憶手段に登録された乗降場所情報を更新可能に表示する乗降場所情報編集手段と、
前記基本情報記憶手段に輸送対象団体情報を登録するための団体情報入力手段と、
前記基本情報記憶手段に登録された輸送対象団体情報を更新可能に表示する輸送対象団体編集手段と、
前記基本情報記憶手段に運行経路情報を登録するための経路情報入力手段と、
前記基本情報記憶手段に登録された運行経路情報を更新可能に表示する運行経路編集手段と、
前記基本情報記憶手段に前記イベントの開催日程、開催内容、および開催場所の情報を含む開催情報を登録するための開催情報入力手段と、
前記基本情報記憶手段に登録された開催情報を更新可能に表示する開催情報編集手段と、
前記基本情報記憶手段に輸送車両情報を登録するための輸送車両情報入力手段と、
前記基本情報記憶手段に登録された輸送車両情報を更新可能に表示する輸送車両情報編集手段と、
を備えた請求項１または２記載の団体輸送車両運行計画作成支援装置。
【請求項４】
複数の輸送対象団体をイベントの開催地域内に送迎しまたは当該イベントの開催地域内において輸送する輸送車両の運行計画を作成するための方法であって、
前記輸送車両運行計画を作成するための基本情報を登録しておくための基本情報記憶手段に乗降場所情報を登録するステップと、
前記基本情報記憶手段に登録された乗降場所情報を更新可能に表示するステップと、
前記基本情報記憶手段に輸送対象団体情報を登録するステップと、
前記基本情報記憶手段に登録された輸送対象団体情報を更新可能に表示するステップと、
前記基本情報記憶手段に運行経路情報を登録するステップと、
前記基本情報記憶手段に登録された運行経路情報を更新可能に表示するステップと、
前記基本情報記憶手段に前記イベントの開催日程、開催内容、および開催場所の情報を含む開催情報を登録するステップと、
前記基本情報記憶手段に登録された開催情報を更新可能に表示するステップと、
前記基本情報記憶手段に輸送車両情報を登録するステップと、
前記基本情報記憶手段に登録された輸送車両情報を更新可能に表示するステップと、
前記基本情報記憶手段に登録されている情報に基づいて輸送車両の運行計画表を作成するステップと、
前記運行計画表を出力するステップと、
を有する団体輸送車両運行計画作成支援方法。
【請求項５】
前記基本情報記憶手段に登録されている情報に基づいて輸送車両の必要台数を集計するステップと、
前記集計の結果を出力するステップと、
をさらに有する請求項４記載の団体輸送車両運行計画作成支援方法。
【請求項６】
請求項４または５記載のステップをコンピュータに実行させるためのプログラム。
【発明の詳細な説明】
【０００１】
【発明の属する技術分野】
本発明は、国民体育大会等大規模イベントにおける団体輸送車両運行計画の作成を支援する団体輸送車両運行計画作成支援装置、団体輸送車両運行計画作成支援方法、およびプログラムに関するものである。
【０００２】
【従来の技術】
従来、配車依頼を公衆回線やインターネット経由で自動受付するとともに配車計画を作成する配車管理システムが知られている。このシステムによれば、作成された配車計画に基づいて、配車依頼状況に応じた配車手配を速かにかつ適切に行うことができる。（特許文献１参照）
特許文献１：特開２００２−１８９７８０号公報
【０００３】
【発明が解決しようとする課題】
しかし、上述した従来のシステムは、タクシーやハイヤーなど比較的小人数用の輸送車両を使用し且つ配車依頼ごとにその都度任意の輸送経路を使用可能な輸送システムを対象としたものであり、国民体育大会等のように長期にわたって広域で開催される大規模イベントの開催期間中における団体輸送車両運行計画の作成を支援するシステムには適用不可能である。
【０００４】
国民体育大会のような大規模イベントでは、選手団や大会関係者など各種団体の輸送のために、バスなどの輸送車両をイベント開催期間全体を通して何台確保しておけばよいか、イベント開催期間中のどの時期にどのような輸送ルートを設定し、各輸送ルート別にどのタイプの輸送車両を何台割り当てて運行すればよいか、といったことを事前に調査し、イベント開催期間中における団体輸送を円滑に行えるよう団体輸送計画を作成する必要がある。
【０００５】
本発明は、このような事情の下に創案されたものであり、その目的は、国民体育大会など大規模イベントにおける団体輸送車両運行計画を容易に作成することができる団体輸送車両運行計画作成支援装置、方法、およびプログラムを提供することにある。
【０００６】
【課題を解決するための手段】
上記目的を達成するために、本発明の団体輸送車両運行計画作成支援装置は、複数の輸送対象団体をイベントの開催地域内に送迎しまたは当該イベントの開催地域内において輸送する輸送車両の運行計画を作成するための装置であって、基本情報記憶手段と、前記輸送車両運行計画を作成するための基本情報を前記基本情報記憶手段に登録するための基本情報登録手段と、前記基本情報記憶手段に登録されている情報に基づいて輸送車両の運行計画表を作成する運行計画表作成手段と、前記運行計画表作成手段により作成された運行計画表を出力する運行計画表出力手段と、を備えたものである。
【０００７】
上記のように構成した団体輸送車両運行計画作成支援装置によれば、輸送車両運行計画を作成するための基本情報を登録することにより、登録した情報に基づいて輸送車両の運行計画表が作成され、出力されるので、国民体育大会など大規模イベントにおける団体輸送車両運行計画を容易に作成することができる。
【０００８】
本発明の団体輸送車両運行計画作成支援装置は、前記基本情報記憶手段に登録されている情報に基づいて輸送車両の必要台数を集計する輸送車両台数集計手段と、前記輸送車両台数集計手段による集計結果を出力する輸送車両台数出力手段と、をさらに備えていることが望ましい。
国民体育大会など大規模なイベントにおいては、前記輸送車両運行計画を作成するための基本情報を前記基本情報記憶手段の登録、前記基本情報記憶手段に登録されている情報に基づいて輸送車両の運行計画表の作成、及び前期運行計画表作成手段により作成された運行計画表の出力は、同一県内における各市町村のように分散した多数の箇所で同時に並行して行われる。これらの登録、及び出力はコンピューター本体と通信網で結ばれた入力装置、映像出力装置、印刷装置により行うことができるので、分散した多数の箇所で同時に並行して行うことができる。
【０００９】
上記のように構成した団体輸送車両運行計画作成支援装置によれば、運行計画表に加えて、輸送車両の必要台数の集計結果が出力されるので、輸送車両の準備計画も含めた団体輸送車両運行計画を容易に作成することができる。
上記のように前記基本情報記憶手段の登録、前記基本情報記憶手段に登録されている情報に基づいて輸送車両の運行計画表の作成が分散した多数の箇所で行われることから、輸送車両の必要台数の集計は同一の前記輸送車両運行計画を作成するための基本情報が登録されることとなる。前記基本情報記憶手段への基本情報の登録は、コンピューター本体と通信網で結ばれた入力装置、映像出力装置、印刷装置により行うことができるので、運行計画策定を行う箇所とは異なるイベント輸送本部などの箇所で行うことができる。
【００１０】
また、本発明の団体輸送車両運行計画作成支援装置において、前記基本情報登録手段は、前記基本情報記憶手段に乗降場所情報を登録するための乗降場所情報入力手段と、前記基本情報記憶手段に登録された乗降場所情報を更新可能に表示する乗降場所情報編集手段と、前記基本情報記憶手段に輸送対象団体情報を登録するための団体情報入力手段と、前記基本情報記憶手段に登録された輸送対象団体情報を更新可能に表示する輸送対象団体編集手段と、前記基本情報記憶手段に運行経路情報を登録するための経路情報入力手段と、前記基本情報記憶手段に登録された運行経路情報を更新可能に表示する運行経路編集手段と、前記基本情報記憶手段に前記イベントの開催日程、開催内容、および開催場所の情報を含む開催情報を登録するための開催情報入力手段と、前記基本情報記憶手段に登録された開催情報を更新可能に表示する開催情報編集手段と、前記基本情報記憶手段に輸送車両情報を登録するための輸送車両情報入力手段と、前記基本情報記憶手段に登録された輸送車両情報を更新可能に表示する輸送車両情報編集手段と、を備えていることが望ましい。
前記基本情報記憶手段に登録されている情報に基づいて輸送車両の必要台数の集計、及び前記輸送車両台数集計手段による集計結果の出力は、輸送車両の手配箇所で行う。これらの集計、及び集計結果の出力はコンピューター本体と通信網で結ばれた入力装置、映像出力装置、印刷装置により行うことができるので、運行計画策定を行う箇所とは異なるイベント輸送本部などの箇所で行い、輸送車両の手配を行うことができる。
【００１１】
上記のように構成した団体輸送車両運行計画作成支援装置によれば、基本情報として、乗降場所情報、輸送対象団体情報、運行経路情報、開催情報、および輸送車両情報を登録し、必要に応じて更新・削除することができるので、詳細な基礎情報に基づく運行計画表を得ることができる。また、運行計画表を確認した結果、変更の必要がある場合には、情報種別ごとに更新・削除することにより、詳細な基礎情報に基づく新たな運行計画表を容易に得ることができる。したがって、実際に運用する運行計画を決定する前に、何度でも基礎情報の登録内容の変更を行って運行計画表を作成し直すことができるので、実運用上最も適した運行計画を立てることができる。
【００１２】
また、本発明の団体輸送車両運行計画作成支援方法は、複数の輸送対象団体をイベントの開催地域内に送迎しまたは当該イベントの開催地域内において輸送する輸送車両の運行計画を作成するための方法であって、前記輸送車両運行計画を作成するための基本情報を登録しておくための基本情報記憶手段に乗降場所情報を登録するステップと、前記基本情報記憶手段に登録された乗降場所情報を更新可能に表示するステップと、前記基本情報記憶手段に輸送対象団体情報を登録するステップと、前記基本情報記憶手段に登録された輸送対象団体情報を更新可能に表示するステップと、前記基本情報記憶手段に運行経路情報を登録するステップと、前記基本情報記憶手段に登録された運行経路情報を更新可能に表示するステップと、前記基本情報記憶手段に前記イベントの開催日程、開催内容、および開催場所の情報を含む開催情報を登録するステップと、前記基本情報記憶手段に登録された開催情報を更新可能に表示するステップと、前記基本情報記憶手段に輸送車両情報を登録するステップと、前記基本情報記憶手段に登録された輸送車両情報を更新可能に表示するステップと、前記基本情報記憶手段に登録されている情報に基づいて輸送車両の運行計画表を作成するステップと、前記運行計画表を出力するステップと、を有する。
【００１３】
上記の団体輸送車両運行計画作成支援方法によれば、基本情報として、乗降場所情報、輸送対象団体情報、運行経路情報、開催情報、および輸送車両情報を登録し、必要に応じて更新・削除することにより、詳細な基礎情報に基づく運行計画表を得ることができる。また、運行計画表を確認した結果、変更の必要がある場合には、情報種別ごとに更新・削除することにより、詳細な基礎情報に基づく新たな運行計画表を容易に得ることができる。したがって、実際に運用する運行計画を決定する前に、何度でも基礎情報の登録内容の変更を行って運行計画表を作成し直すことができるので、実運用上最も適した運行計画を立てることができる。
【００１４】
本発明の団体輸送車両運行計画作成支援方法は、前記基本情報記憶手段に登録されている情報に基づいて輸送車両の必要台数を集計するステップと、前記集計の結果を出力するステップと、をさらに有することが望ましい。
上記の団体輸送車両運行計画作成支援方法によれば、運行計画表に加えて、輸送車両の必要台数の集計結果が得られるので、輸送車両の準備計画も含めた団体輸送車両運行計画を容易に作成することができる。
【００１５】
また、本発明のプログラムは、請求項４または５記載のステップをコンピュータに実行させるためのプログラムである。
【００１６】
このプログラムによれば、これをコンピュータにインストールし実行することにより、本発明の方法を容易に実施することができる。また、このプログラムをコンピュータにインストールすることにより、コンピュータを用いて本発明の装置を容易に実現できる。
【００１７】
【発明の実施の形態】
以下、図面を参照して本発明の実施の形態を説明する。
図１は本発明の実施の形態の一例を示す装置構成図である。
団体輸送車両運行計画作成支援装置（以下、単に支援装置と記す）１０は、コンピュータ本体１１と、入力装置１２と、表示装置１３と、印刷装置１４とを有している。
【００１８】
コンピュータ本体１１は、ＣＰＵ、ＲＯＭおよびＲＡＭを有する処理部１５、ハードディスクからなる大容量記憶部１６、インタフェース部１７、等で構成されている。
【００１９】
入力装置１２は、キーボード、マウス等で構成される。
表示装置１３は、ＣＲＴ（Ｃａｔｈｏｄｅ−ＲａｙＴｕｂｅ）、ＬＣＤ（Ｌｉｑｕｉｄ  ＣｒｙｓｔａｌＤｉｓｐｌａｙ）等を表示手段として備えた映像出力装置である。
印刷装置１４には、レーザプリンタ、インクジェットプリンタ等の印刷出力装置が使用される。
【００２０】
コンピュータ本体１１の大容量記憶部１６には、本発明にかかる団体輸送車両運行計画作成支援用アプリケーションプログラム（以下、支援用アプリと記す）がインストールされている。その結果、大容量記憶部１６には、支援用アプリのコアプログラム領域１６ａと、基本情報データベース領域１６ｂとが形成されている。
【００２１】
支援用アプリを実行することにより、コンピュータ本体１１の処理部１５は、大容量記憶部１６の基本情報データベース領域１６ｂに登録されている情報に基づいて輸送車両の運行計画表を作成する運行計画表作成手段として機能する。その際、表示装置１３には、輸送車両運行計画を作成するための基本情報を基本情報データベース領域１６ｂに登録したり、運行計画表や輸送車両集計結果等の出力を指示したりするためのＧＵＩ（Ｇｒａｐｈｉｃａｌ  Ｕｓｅｒ  Ｉｎｔｅｒｆａｃｅ）画面が表示される。ＧＵＩ画面には、ログイン画面、システムメニュー画面、乗降場所情報入力画面、乗降場所情報一覧表示画面、輸送対象団体情報入力画面、輸送対象団体情報一覧表示画面、運行経路情報入力画面、運行経路情報一覧表示画面、開催情報入力画面、開催情報一覧表示画面、輸送車両情報入力画面、輸送車両情報一覧表示画面、等が含まれる。
【００２２】
コンピュータ本体１１はインターネットやＬＡＮ（ＬｏｃａｌＡｒｅａ  Ｎｅｔｗｏｒｋ）などの通信網１９に接続されている。
他のコンピュータから通信網１９経由で支援装置１０にアクセスしてデータ入力や支援用アプリの使用等ができるようにすれば、同一のイベントでの車輌運行計画作成に際し、たとえば県内の各市町村のように分散した箇所で作成し、かつ、その計画に基づき輸送本部などのような単一箇所でその集計を行い、車輌の手配を行うといったことも可能になる。
【００２３】
つぎに、上記のように構成された支援装置１０の動作について、平成１５年に静岡県で開催される国民体育大会における支援装置に適用した場合を例にとり説明する。ここでは、支援装置１０を単体で使用する場合を例にとり説明するが、他のコンピュータから通信網１９経由でこの支援装置１０のコンピュータ本体１１にアクセスして支援用アプリを使用することも可能である。コンピュータ本体１１は、通信網１９に接続されたサーバ装置としても機能する。
【００２４】
図２はログイン画面の表示例を示している。このログイン画面２１上でユーザＩＤおよびパスワードを入力し、送信ボタンを指示した状態で確定操作（以下、クリックと記す）すると、図３に示すシステムメニュー画面２２が表示される。
【００２５】
システムメニュー画面２２には、入力項目メニュー２３と出力項目メニュー２４とが表示される。入力項目メニュー２３には、乗降場所データ編集ボタン２５、団体データ編集ボタン２６、コースデータ編集ボタン２７、およびバス運行計画データ編集ボタン２８が含まれる。出力項目メニュー２４には、バス運行計画表ボタン２９とバス台数集計表ボタン３０とが含まれる。
【００２６】
初期段階すなわち基本情報を基本情報データベース領域１６ｂに登録する段階では、入力項目メニュー２３中のいずれかの入力項目ボタンを選択する。
乗降場所データ編集ボタン２５をクリックすると、図４に示す乗降場所データ・検索条件入力画面３１が表示される。
乗降場所データ・検索条件入力画面３１の新規ボタン３１ａをクリックすると、図５に示す乗降場所データ・新規登録・入力画面（乗降場所情報入力手段）３３が表示される。
乗降場所データ・新規登録・入力画面３３上で市町村名、乗降場所区分（競技場、宿舎、等）、乗降場所名などを選択・入力して、確認ボタン３３ａをクリックすると、図６に示す乗降場所データ・新規登録・入力確認画面（乗降場所情報入力手段）３５が表示される。乗降場所データ・新規登録・入力確認画面３５には、乗降場所データ・新規登録・入力画面３３上で入力した内容が表示される。そして、登録ボタン３５ａをクリックすると、基本情報データベース領域１６ｂへの登録が実行された後、図７に示す乗降場所データ・新規登録・完了画面３７が表示される。
【００２７】
上記の乗降場所データ新規登録作業を逐次繰り返した後、乗降場所データ・新規登録・完了画面３７の一覧表示ボタン３７ａをクリックすると、図８に示す乗降場所データ・一覧表示画面（乗降場所情報編集手段）３８が表示される。乗降場所データ・一覧表示画面３８には、基本情報データベース領域１６ｂに登録されている乗降場所データが一覧表示される。各登録データ表示部の右端部には詳細ボタン３８ａが表示されており、詳細ボタン３８ａをクリックすることにより、図１０に例示するような乗降場所データ・詳細表示画面３９を表示させて、各登録データの詳細内容を確認できるようになっている。
【００２８】
乗降場所データ・一覧表示画面３８の新規ボタン３８ｂまたは検索ボタン３８ｃをクリックすると、図４の乗降場所データ・検索条件入力画面３１に戻る。乗降場所データ・検索条件入力画面３１上で検索条件を入力し、検索表示ボタン３１ｂをクリックすると、検索処理が実行され、検索条件に合致する情報だけを含む乗降場所データ・一覧表示画面３８が表示される。図９は検索条件として市町村を”静岡市”、乗降場所区分を”競技場”とした場合の検索結果を例示している。
【００２９】
図１０の乗降場所データ・詳細表示画面３９を表示させた後、内容を変更する必要がある場合には、更新ボタン３９ａをクリックする。すると、図１１に示す乗降場所データ・更新・入力画面（乗降場所情報編集手段）４１が表示される。この乗降場所データ・更新・入力画面４１上で更新（変更）したいデータを選択・入力し、確認ボタン４１ａをクリックすると、図１２に示す乗降場所データ・更新・入力確認画面（乗降場所情報編集手段）４３が表示される。乗降場所データ・更新・入力確認画面４３には、乗降場所データ・更新・入力画面４１上で入力した内容が表示される。そして、登録ボタン４３ａをクリックすると、基本情報データベース領域１６ｂへの更新情報の登録が実行された後、図１３に示す乗降場所データ・更新・完了画面４５が表示される。
このようにして、基本情報データベース領域１６ｂへの乗降場所データ（乗降場所情報）の登録および更新がなされる。
【００３０】
つぎに、システムメニュー画面２２の団体データ編集ボタン２６をクリックすると、図１４に示す団体データ・検索条件入力画面４６が表示される。
団体データ・検索条件入力画面４６の新規ボタン４６ａをクリックすると、図１５に示す団体データ・新規登録・入力画面（団体情報入力手段）４８が表示される。この団体データ・新規登録・入力画面４８上で参加区分（選手、監督、等）、団体名、予想人数などを選択・入力して、確認ボタン４８ａをクリックすると、図１６に示す団体データ・新規登録・入力確認画面（団体情報入力手段）５０が表示される。団体データ・新規登録・入力確認画面５０には、団体データ・新規登録・入力画面４８上で入力した内容が表示される。そして、登録ボタン５０ａをクリックすると、基本情報データベース領域１６ｂへの登録が実行された後、図１７に示す団体データ・新規登録・完了画面５２が表示される。
【００３１】
上記の団体データ新規登録作業を逐次繰り返した後、団体データ・新規登録・完了画面５２の一覧表示ボタン５２ａをクリックすると、図１８に示す団体データ・一覧表示画面（団体情報編集手段）５４が表示される。団体データ・一覧表示画面５４には、基本情報データベース領域１６ｂに登録されている団体データが一覧表示される。各登録データ表示部の右端部には詳細ボタン５４ａが表示されており、詳細ボタン５４ａをクリックすることにより、図２０に例示するような団体データ・詳細表示画面５８を表示させて、各登録データの詳細内容を確認できるようになっている。
【００３２】
団体データ・一覧表示画面５４の新規ボタン５４ｂまたは検索ボタン５４ｃをクリックすると、図１４の団体データ・検索条件入力画面４６に戻る。団体データ・検索条件入力画面４６上で検索条件を入力し、検索表示ボタン４６ｂをクリックすると、検索処理が実行され、検索条件に合致する情報だけを含む団体データ・一覧表示画面５４が表示される。図１９は検索条件として参加区分を”選手・監督”、団体名を”千葉県剣道全種別”とした場合の検索結果を例示している。
【００３３】
図２０の団体データ・詳細表示画面５８を表示させた後、内容を変更する必要がある場合には、更新ボタン５８ａをクリックする。すると、図２１に示す団体データ・更新・入力画面（団体情報編集手段）６０が表示される。この団体データ・更新・入力画面６０上で更新（変更）したいデータを選択・入力し、確認ボタン６０ａをクリックすると、図２２に示す団体データ・更新・入力確認画面（団体情報編集手段）６２が表示される。団体データ・更新・入力確認画面６２には、団体データ・更新・入力画面６０上で入力した内容が表示される。そして、登録ボタン６２ａをクリックすると、基本情報データベース領域１６ｂへの更新情報の登録が実行された後、図２３に示す団体データ・更新・完了画面６２が表示される。
このようにして、基本情報データベース領域１６ｂへの団体データ（団体情報）の登録および更新がなされる。
【００３４】
つぎに、システムメニュー画面２２（図３）のコースデータ編集ボタン２７をクリックすると、図２４に示すコースデータ・検索条件入力画面６５が表示される。
コースデータ・検索条件入力画面６５の新規ボタン６５ａをクリックすると、図２５に示すコースデータ・新規登録・入力画面（運行経路情報入力手段）６７が表示される。このコースデータ・新規登録・入力画面６７上で乗車場所、降車場所、使用道路（一般または高速）などを選択・入力して、確認ボタン６７ａをクリックすると、図２６に示すコースデータ・新規登録・入力確認画面（運行経路情報入力手段）６９が表示される。コースデータ・新規登録・入力確認画面６９には、コースデータ・新規登録・入力画面６７上で入力した内容が表示される。そして、登録ボタン６９ａをクリックすると、基本情報データベース領域１６ｂへの登録が実行された後、図２７に示すコースデータ・新規登録・完了画面７０が表示される。
【００３５】
上記のコースデータ新規登録作業を逐次繰り返した後、コースデータ・新規登録・完了画面７０の一覧表示ボタン７０ａをクリックすると、図２８に示すコースデータ・一覧表示画面（運行経路情報編集手段）７２が表示される。コースデータ・一覧表示画面７２には、基本情報データベース領域１６ｂに登録されているコースデータが一覧表示される。各登録データ表示部の右端部には詳細ボタン７２ａが表示されており、詳細ボタン７２ａをクリックすることにより、図２９に例示するようなコースデータ・詳細表示画面７７を表示させて、各登録データの詳細内容を確認できるようになっている。
【００３６】
コースデータ・一覧表示画面７２の新規ボタン７２ｂまたは検索ボタン７２ｃをクリックすると、図２４のコースデータ・検索条件入力画面６５に戻る。コースデータ・検索条件入力画面６５上で検索条件を入力し、検索表示ボタン６５ｂをクリックすると、検索処理が実行され、検索条件に合致する情報だけを含むコースデータ・一覧表示画面７２が表示される。
【００３７】
図２９のコースデータ・詳細表示画面７７を表示させた後、内容を変更する必要がある場合には、更新ボタン７７ａをクリックする。すると、図３０に示すコースデータ・更新・入力画面（運行経路情報編集手段）７８が表示される。このコースデータ・更新・入力画面７８上で更新（変更）したいデータを選択・入力し、確認ボタン７８ａをクリックすると、図３１に示すコースデータ・更新・入力確認画面（運行経路情報編集手段）７９が表示される。コースデータ・更新・入力確認画面７９には、コースデータ・更新・入力画面７８上で入力した内容が表示される。そして、登録ボタン７９ａをクリックすると、基本情報データベース領域１６ｂへの更新情報の登録が実行された後、図３２に示すコースデータ・更新・完了画面８０が表示される。
【００３８】
このようにして、基本情報データベース領域１６ｂへのコースデータ（運行経路情報）の登録および更新がなされる。
【００３９】
つぎに、システムメニュー画面２２のバス運行計画データ編集ボタン２８をクリックすると、図３３に示すバス運行計画データ・検索条件入力画面８１が表示される。
バス運行計画データ・検索条件入力画面８１の新規ボタン８１ａをクリックすると、図３４に示すバス運行計画データ・新規登録・入力画面（開催情報入力手段）８２が表示される。このバス運行計画データ・新規登録・入力画面８２上で競技種目、開催場所、開催日程などを選択・入力して、確認ボタン８２ａをクリックすると、図３５に示すバス運行計画データ・新規登録・入力確認画面（開催情報入力手段）８３が表示される。バス運行計画データ・新規登録・入力確認画面８３には、バス運行計画データ・新規登録・入力画面８２上で入力した内容が表示される。そして、登録ボタン８３ａをクリックすると、基本情報データベース領域１６ｂへの登録が実行された後、図３６に示すバス運行計画データ・新規登録・完了画面８４が表示される。
【００４０】
上記のバス運行計画データ新規登録作業を逐次繰り返した後、バス運行計画データ・新規登録・完了画面８４の一覧表示ボタン８４ａをクリックすると、図３７に示すバス運行計画データ・一覧表示画面（開催情報編集手段）８５が表示される。バス運行計画データ・一覧表示画面８５には、基本情報データベース領域１６ｂに登録されているバス運行計画データが一覧表示される。各登録データ表示部の右端部には詳細ボタン８５ａが表示されており、詳細ボタン８５ａをクリックすることにより、図３９に例示するようなバス運行計画データ・詳細表示画面８６を表示させて、各登録データの詳細内容を確認できるようになっている。また、各詳細ボタン８５ａの左隣にはシート表示ボタン８５ｂが表示されており、シート表示ボタン８５ｂをクリックすると、図４３に示すバス運行計画用シート画面９０が表示される。
【００４１】
バス運行計画データ・一覧表示画面８５の新規ボタン８５ｂまたは検索ボタン８５ｃをクリックすると、図３３のバス運行計画データ・検索条件入力画面８１に戻る。バス運行計画データ・検索条件入力画面８１上で検索条件を入力し、検索表示ボタン８１ｂをクリックすると、検索処理が実行され、検索条件に合致する情報だけを含むバス運行計画データ・一覧表示画面８５が表示される。図３８は検索条件として競技を”ハンドボール・成年男女”とした場合の検索結果を例示している。
【００４２】
図３９のバス運行計画データ・詳細表示画面８６を表示させた後、内容を変更する必要がある場合には、更新ボタン８６ａをクリックする。すると、図４０に示すバス運行計画データ・更新・入力画面（開催情報編集手段）８７が表示される。このバス運行計画データ・更新・入力画面８７上で更新（変更）したいデータを選択・入力し、確認ボタン８７ａをクリックすると、図４１に示すバス運行計画データ・更新・入力確認画面（開催情報編集手段）８８が表示される。バス運行計画データ・更新・入力確認画面８８には、バス運行計画データ・更新・入力画面８７上で入力した内容が表示される。そして、登録ボタン８８ａをクリックすると、基本情報データベース領域１６ｂへの更新情報の登録が実行された後、図４２に示すバス運行計画データ・更新・完了画面８９が表示される。
【００４３】
このようにして、基本情報データベース領域１６ｂへのバス運行計画データ（開催情報情報）の登録および更新がなされる。
【００４４】
また、図４３に示すバス運行計画用シート画面９０を表示させ、仮想バス追加ボタン９０ａをクリックすると、図４４に示す仮想バス設定新規登録入力画面（輸送車両情報入力手段）９１が表示される。この仮想バス設定新規登録入力画面９１上で、希望バスタイプ区分（大型。中型、小型）、予想乗客人数、台数などを選択・入力して、確認ボタン９１ａをクリックすると、図４５に示す仮想バス設定・新規登録・入力確認画面（輸送車両情報入力手段）９２が表示される。仮想バス設定・新規登録・入力確認画面９２には、仮想バス設定新規登録入力画面９１上で入力した内容が表示される。そして、登録ボタン９２ａをクリックすると、基本情報データベース領域１６ｂへの登録が実行された後、図４６に示す仮想バス設定・新規登録・完了画面９３が表示される。
【００４５】
上記の仮想バスデータ新規登録作業を逐次繰り返した後、仮想バス設定・新規登録・完了画面９３の閉じるボタン９３ａをクリックすると、図４７に示すように、バス運行計画用シート画面（開催情報編集手段）９０に、基本情報データベース領域１６ｂに登録されている仮想バスが一欄表示される。各登録データ表示部の右端部にはバス詳細ボタン９４ａが表示されており、詳細ボタン９４ａをクリックすることにより、図４８に例示するような仮想バス設定・詳細表示画面９５を表示させて、各登録データの詳細内容を確認できるようになっている。
【００４６】
仮想バスデータの内容を変更する必要がある場合には、更新ボタン９５ａをクリックする。すると、図４９に示す仮想バス設定・更新・入力画面（輸送車両情報編集手段）９６が表示される。この仮想バス設定・更新・入力画面９６上で更新（変更）したいデータを選択・入力し、確認ボタン９６ａをクリックすると、図５０に示す仮想バス設定・更新・入力確認画面（輸送車両情報編集手段）９７が表示される。仮想バス設定・更新・入力確認画面９７には、仮想バス設定・更新・入力画面９６上で入力した内容が表示される。そして、登録ボタン９７ａをクリックすると、基本情報データベース領域１６ｂへの更新情報の登録が実行された後、図５１に示す仮想バス設定・更新・完了画面９８が表示される。
このようにして、基本情報データベース領域１６ｂへの仮想バスデータ（輸送車両情報）の登録および更新がなされる。
以上の登録および更新作業により、基本情報データベース領域１６ｂへの基礎情報の登録が一応完了する。
【００４７】
システムメニュー画面２２（図１３）のバス運行計画表ボタン２９をクリックすると、図５２に示すバス運行計画表・検索条件入力画面９９が表示される。そして、バス運行計画表・検索条件入力画面９９上で、配車日および場所の条件を選択・入力し、検索表示ボタン９９ａをクリックすると、図５３に示すようなバス運行計画表画面１００が表示される。
【００４８】
また、システムメニュー画面２２（図１３）のバス台数集計表ボタン３０をクリックすると、図５４に示すバス台数集計表・検索条件入力画面１０１が表示される。そして、バス台数集計表・検索条件入力画面１０１上で、市町村を選択・入力し、検索表示ボタン１０１ａをクリックすると、図５５に示すようなバス台数集計表画面１０２が表示される。バス運行計画表画面１００およびバス台数集計表画面１０２は、必要であれば印刷装置１４により印刷することができる。
【００４９】
上記のように、この支援装置１０によれば、バス運行計画を作成するための基本情報をＧＵＩ画面上から基本情報データベース領域１６ｂに登録することにより、登録した情報に基づいてバス運行計画表およびバス台数集計表が支援用アプリにより自動作成され、表示装置１３や印刷装置１４に出力されるので、国民体育大会におけるバス運行計画を、バスの準備計画も含めて容易に作成することができる。
【００５０】
また、バス運行計画を作成するための基本情報として、乗降場所情報、輸送対象団体情報、運行コース情報（運行経路情報）、開催情報、およびバス情報（輸送車両情報）を登録し、必要に応じてこれらの情報を更新することができるので、詳細な基礎情報に基づくバス運行計画表およびバス台数集計表を得ることができる。
【００５１】
また、表示装置１３や印刷装置１４により出力したバス運行計画表やバス台数集計表を確認した結果、変更の必要がある場合には、乗降場所情報、輸送対象団体情報といった情報種別ごとに登録情報を更新することができる。したがって、実際に運用するバス運行計画を決定する前に、何度でも基礎情報の登録内容の変更を行ってバス運行計画表を作成し直すことができるので、実運用上最も適したバス運行計画を立てることができる。
【００５２】
なお、本発明は上記実施の形態に示した構成に限定されるものではない。
たとえば、上記実施の形態では、本発明にかかる支援装置１０を国民体育大会における支援装置に適用した場合を例にとり説明したが、サッカーやスキーのワールドカップ、世界陸上競技大会、オリンピックなど、その他の大規模なスポーツ大会の開催期間中における宿泊管理システムにも有効に適用できる。
【００５３】
また、上記の構成例では、コンピュータ本体１１の大容量記憶部１６に、基本情報を登録しておくための基本情報データベース領域１６ｂが形成されているが、コンピュータ本体１１とは別体の大容量記憶装置内に基本情報データベース領域１６ｂを設けてもよいことは無論である。
【００５４】
【発明の効果】
以上説明したように本発明によれば、国民体育大会など大規模イベントにおける団体輸送車両運行計画を容易に作成することができる。
また、他のコンピュータから通信網経由で本発明の支援装置にアクセス可能にすることにより、同一のイベントでの車輌運行計画を分散した箇所で作成し、その計画に基づき単一箇所でその集計を行い、車輌の手配を行うといった処理を行うことも可能になる。
【図面の簡単な説明】
【図１】本発明の実施の形態の一例を示す装置構成図である。
【図２】ログイン画面の表示例を示す図である。
【図３】システムメニュー画面の表示例を示す図である。
【図４】乗降場所データ・検索条件入力画面の表示例を示す図である。
【図５】乗降場所データ・新規登録・入力画面の表示例を示す図である。
【図６】乗降場所データ・新規登録・入力確認画面の表示例を示す図である。
【図７】乗降場所データ・新規登録・完了画面の表示例を示す図である。
【図８】乗降場所データ・一覧表示画面の表示例を示す図である。
【図９】乗降場所データ・一覧表示画面（検索結果）の表示例を示す図である。
【図１０】乗降場所データ・詳細表示画面の表示例を示す図である。
【図１１】乗降場所データ・更新・入力画面の表示例を示す図である。
【図１２】乗降場所データ・更新・入力確認画面の表示例を示す図である。
【図１３】乗降場所データ・更新・完了画面の表示例を示す図である。
【図１４】団体データ・検索条件入力画面の表示例を示す図である。
【図１５】団体データ・新規登録・入力画面の表示例を示す図である。
【図１６】団体データ・新規登録・入力確認画面の表示例を示す図である。
【図１７】団体データ・新規登録・完了画面の表示例を示す図である。
【図１８】団体データ・一覧表示画面の表示例を示す図である。
【図１９】団体データ・一覧表示画面（検索結果）の表示例を示す図である。
【図２０】団体データ・詳細表示画面の表示例を示す図である。
【図２１】団体データ・更新・入力画面の表示例を示す図である。
【図２２】団体データ・更新・入力確認画面の表示例を示す図である。
【図２３】団体データ・更新・完了画面の表示例を示す図である。
【図２４】コースデータ・検索条件入力画面の表示例を示す図である。
【図２５】コースデータ・新規登録・入力画面の表示例を示す図である。
【図２６】コースデータ・新規登録・入力確認画面の表示例を示す図である。
【図２７】コースデータ・新規登録・完了画面の表示例を示す図である。
【図２８】コースデータ・一覧表示画面の表示例を示す図である。
【図２９】コースデータ・詳細表示画面の表示例を示す図である。
【図３０】コースデータ・更新・入力画面の表示例を示す図である。
【図３１】コースデータ・更新・入力確認画面の表示例を示す図である。
【図３２】コースデータ・更新・完了画面の表示例を示す図である。
【図３３】バス運行計画データ・検索条件入力画面の表示例を示す図である。
【図３４】バス運行計画データ・新規登録・入力画面の表示例を示す図である。
【図３５】バス運行計画データ・新規登録・入力確認画面の表示例を示す図である。
【図３６】バス運行計画データ・新規登録・完了画面の表示例を示す図である。
【図３７】バス運行計画データ・一覧表示画面の表示例を示す図である。
【図３８】バス運行計画データ・一覧表示画面（検索結果）の表示例を示す図である。
【図３９】バス運行計画データ・詳細表示画面の表示例を示す図である。
【図４０】バス運行計画データ・更新・入力画面の表示例を示す図である。
【図４１】バス運行計画データ・更新・入力確認画面の表示例を示す図である。
【図４２】バス運行計画データ・更新・完了画面の表示例を示す図である。
【図４３】バス運行計画用シート画面の表示例を示す図である。
【図４４】仮想バス設定新規登録入力画面の表示例を示す図である。
【図４５】仮想バス設定・新規登録・入力確認画面の表示例を示す図である。
【図４６】仮想バス設定・新規登録・完了画面の表示例を示す図である。
【図４７】バス運行計画用シート画面の表示例を示す図である。
【図４８】仮想バス設定・詳細表示画面の表示例を示す図である。
【図４９】仮想バス設定・更新・入力画面の表示例を示す図である。
【図５０】仮想バス設定・更新・入力確認画面の表示例を示す図である。
【図５１】仮想バス設定・更新・完了画面の表示例を示す図である。
【図５２】バス運行計画表・検索条件入力画面の表示例を示す図である。
【図５３】バス運行計画表画面の表示例を示す図である。
【図５４】バス台数集計表・検索条件入力画面の表示例を示す図である。
【図５５】バス台数集計表画面の表示例を示す図である。
【符号の説明】
１０：団体輸送車両運行計画作成支援装置
１１：コンピュータ本体
１２：入力装置
１３：表示装置
１４：印刷装置
１５：処理部（運行計画表作成手段）
１６：大容量記憶部
１６ａ：コアプログラム領域
１６ｂ：基本情報データベース領域
１７：インタフェース部
１９：通信網
３３：乗降場所データ・新規登録・入力画面（乗降場所情報入力手段）
３５：乗降場所データ・新規登録・入力確認画面（乗降場所情報入力手段）
３７：乗降場所データ・新規登録・完了画面
３８：乗降場所データ・一覧表示画面（乗降場所情報編集手段）
３９：乗降場所データ・詳細表示画面
４１：乗降場所データ・更新・入力画面（乗降場所情報編集手段）
４３：乗降場所データ・更新・入力確認画面（乗降場所情報編集手段）
４５：乗降場所データ・更新・完了画面
４６：団体データ・検索条件入力画面
４８：団体データ・新規登録・入力画面（団体情報入力手段）
５０：団体データ・新規登録・入力確認画面（団体情報入力手段）
５２：団体データ・新規登録・完了画面
５４：団体データ・一覧表示画面（団体情報編集手段）
５８：団体データ・詳細表示画面
６０：団体データ・更新・入力画面（団体情報編集手段）
６２：団体データ・更新・入力確認画面（団体情報編集手段）
６２：団体データ・更新・完了画面
６７：コースデータ・新規登録・入力画面（運行経路情報入力手段）
６９：コースデータ・新規登録・入力確認画面（運行経路情報入力手段）
７０：コースデータ・新規登録・完了画面
７２：コースデータ・一覧表示画面（運行経路情報編集手段）
７７：コースデータ・詳細表示画面
７８：コースデータ・更新・入力画面（運行経路情報編集手段）
７９：コースデータ・更新・入力確認画面（運行経路情報編集手段）
８０：コースデータ・更新・完了画面
８１：バス運行計画データ・検索条件入力画面
８２：バス運行計画データ・新規登録・入力画面（開催情報入力手段）
８３：バス運行計画データ・新規登録・入力確認画面（開催情報入力手段）
８４：バス運行計画データ・新規登録・完了画面
８５：バス運行計画データ・一覧表示画面（開催情報編集手段）
８６：バス運行計画データ・詳細表示画面
８７：バス運行計画データ・更新・入力画面（開催情報編集手段）
８８：バス運行計画データ・更新・入力確認画面（開催情報編集手段）
８９：バス運行計画データ・更新・完了画面
９０：バス運行計画用シート画面（開催情報編集手段）
９１：仮想バス設定新規登録入力画面（輸送車両情報入力手段）
９２：仮想バス設定・新規登録・入力確認画面（輸送車両情報入力手段）
９３：仮想バス設定・新規登録・完了画面
９５：仮想バス設定・詳細表示画面
９６：仮想バス設定・更新・入力画面（輸送車両情報編集手段）
９７：仮想バス設定・更新・入力確認画面（輸送車両情報編集手段）
９８：仮想バス設定・更新・完了画面
９９：バス運行計画表・検索条件入力画面
１００：バス運行計画表画面
１０１：バス台数集計表・検索条件入力画面
１０２：バス台数集計表画面
【図１】
2004303003.tif 000003
【図２】
2004303003.tif 000004
【図３】
2004303003.tif 000005
【図４】
2004303003.tif 000006
【図５】
2004303003.tif 000007
【図６】
2004303003.tif 000008
【図７】
2004303003.tif 000009
【図８】
2004303003.tif 000010
【図９】
2004303003.tif 000011
【図１０】
2004303003.tif 000012
【図１１】
2004303003.tif 000013
【図１２】
2004303003.tif 000014
【図１３】
2004303003.tif 000015
【図１４】
2004303003.tif 000016
【図１５】
2004303003.tif 000017
【図１６】
2004303003.tif 000018
【図１７】
2004303003.tif 000019
【図１８】
2004303003.tif 000020
【図１９】
2004303003.tif 000021
【図２０】
2004303003.tif 000022
【図２１】
2004303003.tif 000023
【図２２】
2004303003.tif 000024
【図２３】
2004303003.tif 000025
【図２４】
2004303003.tif 000026
【図２５】
2004303003.tif 000027
【図２６】
2004303003.tif 000028
【図２７】
2004303003.tif 000029
【図２８】
2004303003.tif 000030
【図２９】
2004303003.tif 000031
【図３０】
2004303003.tif 000032
【図３１】
2004303003.tif 000033
【図３２】
2004303003.tif 000034
【図３３】
2004303003.tif 000035
【図３４】
2004303003.tif 000036
【図３５】
2004303003.tif 000037
【図３６】
2004303003.tif 000038
【図３７】
2004303003.tif 000039
【図３８】
2004303003.tif 000040
【図３９】
2004303003.tif 000041
【図４０】
2004303003.tif 000042
【図４１】
2004303003.tif 000043
【図４２】
2004303003.tif 000044
【図４３】
2004303003.tif 000045
【図４４】
2004303003.tif 000046
【図４５】
2004303003.tif 000047
【図４６】
2004303003.tif 000048
【図４７】
2004303003.tif 000049
【図４８】
2004303003.tif 000050
【図４９】
2004303003.tif 000051
【図５０】
2004303003.tif 000052
【図５１】
2004303003.tif 000053
【図５２】
2004303003.tif 000054
【図５３】
2004303003.tif 000055
【図５４】
2004303003.tif 000056
【図５５】
2004303003.tif 000057